(57)【要約】 【課題】  簡単且つ軽量で耐久性のある越水防止装置を用いて堤防の上などに設置して河川の氾濫や洪水などを防止する。【解決手段】  本発明の越水防止装置は、垂直方向に延在する壁で構成される四角い枠体（１０）を複数連設して構成されており、その前側フレーム下端部からは底シート（１４）が延在している。枠体の角部にはアンカーピンを打ち付けるガイド帯（１１）が設けられており、装置の両端部には他の装置との連結手段（１２）が設けられている。この装置は折り畳み式として平常時には自治体の倉庫などに小さく収納することができる。河川の増水時などに必要な場所に拡げて設置し、底シートの上に土砂や土嚢などを積載して使用する。【選択図】  図１
2006283505.tif 000002
【特許請求の範囲】
【請求項１】
河川や海岸の増水時に設置される越水防止装置であって、垂直方向に延在する壁で構成される四角い枠体を複数連設した構成を具えることを特徴とする越水防止装置。
【請求項２】
請求項１に記載の越水防止装置において、少なくとも前記装置の長手方向全面に亘る長さと装置前後方向の途中までの幅を有し、当該装置の前側下端部から延在する底シートを具えることを特徴とする越水防止装置。
【請求項３】
請求項１に記載の越水防止装置において、前記枠体の前後の壁がその中間部で折れ曲がり、全体を小さく折り畳めるよう構成されていることを特徴とする越水防止装置。
【請求項４】
請求項１乃至３のいずれかに記載の越水防止装置において、当該装置の左右端部に他の越水防止装置と連結するための連結手段が設けられていることを特徴とする越水防止装置。
【請求項５】
請求項１乃至４のいずれかに記載の越水防止装置において、前記枠体の角部の一部あるいは全部に、垂直方向に杭を案内するガイド部材が設けられていることを特徴とする越水防止装置。
【請求項６】
請求項１乃至５のいずれかに記載の越水防止装置において、前記枠体の上端部あるいはその近傍に、装置を持ち上げるためのフック手段が設けられていることを特徴とする越水防止装置。
【請求項７】
請求項１乃至６のいずれかに記載の越水防止装置において、前記枠体の少なくとも左右の壁には強度のあるパネル材が用いられることを特徴とする越水防止装置。
【請求項８】
請求項１乃至７のいずれかに記載の越水防止装置を河川あるいは海岸に設置し、前記枠体内に土あるいは土嚢若しくはその他の重量物を詰めることを特徴とする越水防止工法。
【発明の詳細な説明】
【技術分野】
【０００１】
本発明は越水防止装置および越水工法に関し、特に、河川の氾濫などに対し迅速且つ簡単に越水防止壁を構成して水害を防止する装置およびその工法に関する。
【背景技術】
【０００２】
従来、河川などの越水防止対策として、積み土嚢工法や堰板工法が用いられている。積み土嚢式は、土を詰めた土嚢を多数作成し堤防天端の上に河川に沿って積み上げる工法である。土嚢は前後２列または３列設けられ、土嚢の継ぎ目には土を詰めて、上から鋼杭を串刺しにして土嚢を固定する。防災ガイドによれば、１０ｍあたり土嚢を１４０と鋼杭を４０本必要とし、２０人による作業が必要となる。通常自治体の倉庫等に土嚢の袋が多数用意されており、河川の増水時に袋に土を詰めて使用するようになっている。
【０００３】
また、堰板工法は、堤防天端に河川に沿って木杭を打ち込みこれに板を渡して堰を構成し、その内側に土や土嚢を盛って越水を防ぐ工法である。ガイドによれば１０ｍあたり２０人、板１２枚の他、相当数の土嚢などを必要とする。
【発明の開示】
【発明が解決しようとする課題】
【０００４】
しかしながら、積み土嚢式工法には膨大な人員資源を必要とし、手間と時間がかかるものである。また、堰板工法でも重量のある木板など資材の運搬や堰を構築する作業に多大な人員、手間と時間を必要とする。実際これらの作業は大雨の中行わねばならず、多大な労力と困難が伴うものである。また、危険が去った後は土嚢を破いて中の土を排出するが、基本的に土嚢の袋は一度きりの使用で廃棄されるため、コストがかかり環境にも好ましくない。
【０００５】
本発明はこのような問題に鑑み、軽量な素材を用い折り畳み式の越水防止装置を構成し、運搬が容易で、組み立て時間が飛躍的に短縮され、少人数で設置作業が可能で、強固で安定した構造で止水性を確保した越水防止装置およびこれを用いる越水防止工法を提供することを目的とする。
【課題を解決するための手段】
【０００６】
上記目的を達成するために、本発明は、河川や海岸の増水時に設置される越水防止装置であって、垂直方向に延在する壁で構成される四角い枠体を複数連設した構成を具えることを最も主要な特徴とする。
【０００７】
この越水防止装置では、少なくとも前記装置の長手方向全面に亘る装置前後方向の途中まで幅を有し、当該装置の前側下端部から延在する底シートを具えることが有効である。また、前記枠体の前後の壁がその中間部で折れ曲がり、全体を小さく折り畳めるよう構成することが有効である。
【０００８】
また、装置の左右端部に他の越水防止装置と連結するための連結手段を設けることが有効である。また、前記枠体の角部の一部あるいは全部に、垂直方向に杭を案内するガイド手段を設けることが有効である。
【０００９】
また、前記枠体の上端部あるいはその近傍に、装置を持ち上げるためのフック手段を設けることが有効である。また、前記枠体の少なくとも左右の壁には強度のあるパネル材が用いることが有効である。
【００１０】
さらに本発明にかかる越水防止工法は、上記いずれかの越水防止装置を河川あるいは海岸に設置し、前記枠体内に土あるいは土嚢若しくはその他の重量物を詰めることを特徴とする。
【発明の効果】
【００１１】
垂直方向に延在する壁で構成される四角い枠体を複数連設して越水防止装置を構成することにより、装置を堤防などに設置し枠体内部に土や土嚢などを詰めて越水防止壁を構成することができる。また、装置の前側下端部から底シートを延在させることにより、設置時には底シートの上に土や土嚢を積載して装置を固定することができるとともに、撤去時には装置を持ち上げれば下から土や土嚢を容易に排出させることができる。
【００１２】
また、枠体の前後壁が折れ曲がるようにして、装置全体を小さく折り畳めるように構成すると、平常時の保管場所の省スペース化が図れるとともに、設置時の作業を容易に行うことができる。また、両端部に別の装置と連結するための連結手段を設けることにより、複数の越水防止装置を連結して広範囲の越水防止壁を構成することが可能となる。
【００１３】
また、各枠体の角部に杭を案内するガイド手段を設けると、ここに杭を通して堤防に差し入れ、越水防止装置を強固に固定することができる。また、枠体の左右壁に強度のあるパネル材を用いると、設置時に枠体が撓んだり変形したりするのが防止され、強固な構造の越水防止壁を構成することができる。
【００１４】
さらに、本発明の越水防止工法では、上記装置を河川や海岸に設置して枠体内に土や土嚢を詰めるだけで、迅速かつ強固で確実な越水防止壁を構成することができる。
【発明を実施するための最良の形態】
【００１５】
本発明を実施するための最良の実施形態について、図面を参照しながら以下に詳細に説明する。
【実施例１】
【００１６】
図１は、本発明にかかる越水防止装置の構成を示す斜視図であり、図２（ａ）は立面図、図２（ｂ）は固定用のアンカーピンを刺した状態を示す正面図である。図１および図２に示すように、越水防止装置１は、垂直方向に延在する四方の壁で構成された四角い枠体１０を複数連設した構成を有し、各枠体１０を隔てる側壁は隣接する枠体間で共有する構成となっている。各枠体１０の角部にはアンカーピン５０を垂直方向に案内するガイド帯１１（ガイド手段）が設けられており、後に詳細に説明するが、装置１の両端部には別の装置と連結するための連結手段１２が設けられている。また、枠体１０の上端部には吊りフック１３（フック手段）が設けられており、さらに装置１の前側下端部からは装置の長手方向全面に亘る長さと前後方向の中間部までの幅を有する底シート１４が延在している。装置の高さは０．４〜１．０ｍ、前後方向の幅は０．６〜１．５ｍ、各枠体１０の横方向の長さは０．４〜１．５ｍ（装置全体の長さ２〜７．５ｍ）程度に構成される。なお、以降の説明では、図１における紙面の手前側が川表側であり前側として説明し、奥が川裏側であり後側として説明する。
【００１７】
枠体１０において、装置１の前後方向に延在する縦フレーム１５の構成を、図３を参照して説明する。本実施例の縦フレーム１５は、例えば強度を有するパネル材１６の両側にシート材１７を張り合わせて構成される。パネル材１６は軽量で強度のある例えば塩化ビニル、ＦＲＰ、アクリル、強化プラスチックなどの樹脂材を用いることができ、好ましくはリサイクル樹脂を用いる。このパネル材１５の厚みは５〜３０ｍｍとして強度を確保する。シート材１７は、例えばポリエチレン、塩化ビニル、ポリウレタン、ポリエステル、プラスチックゴムなど、軟質で不透水性かつ所定の強度を有する素材を好適に用いることができ、好ましくはリサイクル材を用いる。ただし、縦フレーム１５はシート材１７を貼り合わせることなくパネル材１６のみで構成してもよい。この場合、パネル材１６には不透水性のものを用いることが望ましい。
【００１８】
枠体１０において、装置１の左右方向に延在する横フレーム１８の構成を、図４を参照して説明する。本実施例の横フレーム１８は前側と後側で共通の構成を有し、図３に示すように、フレーム１８の半分弱の幅を有する２つのパネル材１９ａ、１９ｂを、表裏１枚づつのシート材２０で挟み込んで構成されている。２つのパネル材１９ａ、１９ｂ間には若干の間隔を設け、横フレーム１８を折り曲げる際に互いに干渉しないようにしている。パネル材１９およびシート材２０の素材は縦フレーム１５のものと同じであり、各パネル材１９の表裏全面にシート材２０が接着されている。さらに、シート材２０はパネル材１９より横方向において少し長めに形成され、この余剰の部分で縦フレーム１８やガイド帯１１と縫製や接着等の手段により接続する構成となっている。これにより、横フレーム１８はその中央部分を折り曲げて重ねた状態にすることができ、また縦フレーム１５と横フレーム１８との接合部分は可動となる。
【００１９】
底シート１４は、図１に示すように、少なくとも装置１の横方向全面に亘る長さと、装置１の前後方向の中間部までの幅を有する。この底シート１４は縦フレーム１５には連結されておらず、各枠体１０の前側の横フレーム１８の下端部から連続的に延在している。この底シート１４は越水防止装置１の設置時には内側すなわち装置１の底部の一部をなすように折って使用される。底シート１４には軟質の不透水性素材を用い、シート材１７，２０と同じ素材で構成することができる。底シート１４の幅（横フレーム１８の下端部から自由端縁までの長さ）は約０．３〜１．０ｍに形成される。
【００２０】
連結手段１２は、装置右側端部に設けられた一対の雌の摺動レール１２ａと、装置左側端部に設けられた一対の雄の摺動レール１２ｂとを具え、各レール１２ａ、１２ｂはそれぞれ対応する箇所に設けられている。図５（ａ）はこの連結手段１２の連結構造を示す立面図であり、このうち円で囲った部分を図５（ｂ）に拡大して示す。さらに、図６を用いて連結手段１２の構成およびバリエーションについて説明する。図６（ａ）に示すように、摺動レール１２ａと１２ｂはともに一枚の板状部材を屈曲して、装置１の両端部にそれぞれ取り付けることにより構成することができる。装置１を複数連結する際には、雄の連結レール１２ｂを雌の連結レール１２ａの上からスライド挿入する。この連結構造を上から見た状態が図５および図６（ｂ）である。この連結手段１２は装置１の上下方向の全面に亘り延在しており、この部分から水が流れ込まないよう構成されている。図６（ｃ）及び（ｄ）は別の実施例にかかる連結手段の構成を示す。図６（ｃ）ではＴ字型の雄の摺動レール２１ａと、これを包む雌の摺動レール２１ｂとを用いており、図６（ｄ）では球状の突出部を具える雄の摺動レール２２ａと、これを包む内面球状の雌の摺動レール２２ｂとで構成している。これらの実施例では、対の摺動レールではなく雌雄の単レールとして連結手段を構成することもできる。
【００２１】
図１に戻って説明すると、ガイド帯１１は、シート材１７，２０と同じシート状素材を筒状に構成して各枠体１０の角部に設けられている。越水防止装置１の右側端部に設けられたガイド帯１１ａは、装置１の上側と下側に分離しており、その中間部が切り欠かれている。一方、装置１の左側端部のガイド帯１１ｂは、装置１の高さ方向における中間部のみに設けられている。これらは複数の装置１を連結するための工夫であり、２以上の装置１を連結する場合に一方のガイド帯１１ａと他方のガイド帯１１ｂとが組み合わさって装置１の高さ方向全面に亘るガイド帯となる。この状態を図７に示す。その他のガイド帯１１ｃは装置１の高さ方向全面に亘って延在している。これらのガイド帯１１に上から杭（アンカーピン）を通し、地面に打ち込むことで装置１が固定される。
【００２２】
吊フック１３は、図１に示すように、枠体１０の縦フレーム１５の前後端部近傍にそれぞれ設けられており、縦フレーム１５のパネル材１６にスクリュネジ等の手段で強固に固定されている。装置の撤去時にはこの吊フック１３にワイヤ等を通し、これをクレーン等の重機で持ち上げることにより、装置１の内部に入れた土や土嚢を下から排出して撤去作業を容易に行うことができる。吊フック１３のバリエーションを図８に示す。本実施例の吊フック１３が図８（ａ）に示されている。この吊フック１３は例えば金属リングを半分に切断しその切断面に金属プレートを溶接して構成されており、金属プレートの四隅に設けられたネジ穴（図示せず）にスクリュネジを通してパネル材１６の上面に固定する。図８（ｂ）に示す例では、パネル材１６の上端部近傍に穴２３を開けて、ここにワイヤ等を通せるように構成している。図８（ｃ）に示す例では、金属のリング状部材にねじ切りされた尖端を有する棒状金属部材を溶接し、これをパネル材１６の上面に固定するようにしている。
【００２３】
このように構成した越水防止装置１の使用方法を説明する。まず、装置１を折り畳んで保管する方法について、図９を用いて説明する。図９は、装置１を上から見た状態を示す概略図である。図９（ａ）に示す拡げた状態から、図９（ｂ）に示すように各枠体１０の横パネル１８を内側に折るとともに左右から縮めて、図９（ｃ）に示すように収納状態とする。この場合に底シート１４は外側に折り返し、横フレーム１８とともに折り畳むことができる。この状態で装置１を運搬し、平常時は倉庫などに保管しておく。小さく折り畳めるため保管スペースを有効に利用することができる。なお、出願人の試算では高さ１ｍ、左右長さ５ｍ（セル数５）、前後長さ１ｍ程度の装置で重量が２０ｋｇ程度に収まり、一人でも運搬することができる。
【００２４】
大雨、洪水、津波などの危険が生じた場合、この装置１を折り畳んだ状態で必要な場所に運搬し、図９と逆の順序で拡げて設置する。本装置１は、例えば河川や海岸の堤防の上など、従来土嚢を積み上げて越水を防止していた様々な場所に適用することができる。図１０は、河川の堤防天端に本装置１を設置した状態を示す断面イメージ図であり、紙面の左側が川表側であり右側が川裏側である。本図に示すように、堤防天端において川表側から１ｍ程度の間隔をとって本願装置１を設置する。このとき、底シート１４は装置１の底部の一部をなすように内側に延在させる。各枠体１０の接合部は可動であるため、地形に沿って装置１をある程度湾曲させて設置することも可能である。
【００２５】
次に、図１１に示すように、各ガイド帯１１にワッシャ５１を介してアンカーピン５０を打ち込む。アンカーピン５０は長さ０．８〜２．１ｍ、杭径１６〜５０ｍｍ程度のものを用い、打ち込んだときに装置１の下に０．４〜１．０ｍ程延在するようにする。アンカーピン５０の杭頭形状は、図１２にバリエーションを示すように丸形、逆三角形、Ｌ字型、Ｔ字型などに構成し、装置１の設置時に打ち込み易く、また撤去時に抜き易いものを用いる。ワッシャ５１は内径をアンカーピン５０の杭径に合わせたものを用い、直径１００〜２００ｍｍ、厚さ５〜４０ｍｍの鉄やＦＲＰ、強化プラスチック等を用いる。このようにワッシャ５１を介在させることにより、縦フレーム１５および横フレーム１８が確実に押さえられ、装置１の固定を確実なものにすることができる。
【００２６】
さらに、必要に応じて装置１を複数連結する。上述したように、図５および図６（ａ）（ｂ）に示すように既に設置した装置１の連結手段１２に上から次の装置の連結手段１２をスライド挿入する。これにより、隣接する装置１端部のガイド帯１５は図７に示す状態となり、ここに上からアンカーピン５０を通し地面に差し入れる。なお、ガイド帯１５は軟質のシート材で構成されているため、装置を連結する際に干渉する等の不具合は生じることがない。
【００２７】
次に、図１１に示すように、装置１の内部に土砂を投入する。この作業はダンプカー等で土を運搬し、バックホウあるいは人力により土砂を装置１の内部に投入する。このとき、底シート１４が装置１の底部に部分的に延在しており、底シート１４上に土砂を投入することにより軟質の底シート１４が下の地面に密着して隙間を塞ぎ、装置１の下側から水が侵入するのが防止される。この土砂の代わりに、土嚢やその他の重量物を装置１の内部に配置するようにしてもよい。土嚢の場合は、底シート１４の上に、その長さ方向に隙間ができないように配置する。他の重量物の場合は必要に応じて人力や機械で運搬したものを配置するようにする。本発明の越水防止装置１では、底シート１４と下の地面との密着性を確保できれば水の侵入を防止できるため、土嚢その他の重量物は底シート１４の上に載せればよく、底シート１４がない部分に詰めるのを省略することができる。また、土嚢は従来工法のように縦置きする必要がなく、袋の長辺を底シート１４の長さ方向に沿って配置して確実に越水防止することができる。これにより、本発明では装置１を使用せずに土嚢を積み上げる越水防止工法より遙かに少ない土嚢の数で確実に越水を防止することができる。
【００２８】
水位が下がり危険が去った場合には、越水防止装置１を撤去する。この作業ではアンカーピン５０を抜去した後、クレーン車や人力で装置１の吊フック１３を引っ張って装置１全体を上に持ち上げる。これにより装置１の前側の横フレーム１８と連続する底シート１４が斜め上方向に引っ張られ、底シート１４上の積載物を地面に残したまま装置１が持ち上がる。その後装置１を洗浄し、上述した図７の手順で折り畳み、再び収納する。このようにして本発明の越水防止装置は繰り返し使用することができる。
【００２９】
図１３は、枠体１０を構成するパネル材の別の実施例の構成を示す図である。上記実施例では、前後の横フレーム１８を２枚のパネル材１９ａ，１９ｂとこれを挟み込むシート材２０で構成しているが、例えば図１３（ａ）に示すように、川表側に向ける前側の横フレーム３１のみをこのように構成して強度を確保し、後側の横フレーム３２はシート材のみで構成してもよい。また、シート材が十分な強度を有する場合は、図１３（ｂ）に示すように前後の横フレームともにシート材のみで構成してもよい。この場合でも縦フレーム１５はパネル材を用いて構成すれば装置としての強度は高度に維持され、確実に越水を防止することができる。また、横フレームにパネル材を使用する場合、シート材はパネル材の全面を覆う必要はなく、パネル材１９ａ，１９ｂの接合部と、縦フレーム１５との接合部のみに設けるようにしてもよい。
【００３０】
以上、本発明の実施例について詳細に説明したが、本発明の技術的範囲は上記実施例に何ら限定されるものではなく、請求項の記載の意図する範囲を超えない限りにおいて、他の様々な変形例として実現することができる。例えば、底シート１４は上記実施例の構成であることが好ましいが、これに限定する趣旨ではなく、装置１の底部の全部を覆う大きさであってもよい。また、底シート１４を装置１の横に少しはみ出る寸法形状として、他の装置と連結する際に、他の装置の底シートと重なるようにしてもよい。これにより、より確実に水の侵入を防止することができる。なお、この場合は下流側に設置される装置の底シートが上流側装置の底シートより上になるように重ねるようにする。またガイド帯は上記の構成でなくてもよく、さらに枠体１０の四隅全部に設けられていなくてもよい。さらに、本発明は折り畳み可能な枠体１０が複数連続する構成であれば底シートやガイド帯は他の固定手段などで代替してもよい。
【産業上の利用可能性】
【００３１】
本発明に係る越水防止装置および越水防止工法は、簡単且つ軽量で耐久性のある装置を用いて堤防の上などに設置して河川の氾濫や洪水などを防止するものであり、装置の製造は製造業の分野、装置の利用は自治体などの行政サービスに適用することができる。
【図面の簡単な説明】
【００３２】
【図１】越水防止装置の全体構成を示す斜視図である。
【図２】越水防止装置の立面図および正面図である。
【図３】枠体１０を構成する縦フレーム１５の構成を示す斜視図である。
【図４】枠体１０を構成する横フレーム１８の構成を示す斜視図である。
【図５】連結手段１２の連結構造を示す図である。
【図６】連結手段１２の実施例を示す図である。
【図７】装置１の連結部分のガイド帯を示す図である。
【図８】吊フック１３の実施例を示す図である。
【図９】越水防止装置１の折り畳み方を説明するための立面図である。
【図１０】河川の堤防天端に越水防止装置を設置した状態を示す断面イメージ図である。
【図１１】越水防止装置の使用状態を示す斜視図である。
【図１２】アンカーピンの実施例を示す図である。
【図１３】枠体１０の他の実施例を示す斜視図である。
【符号の説明】
【００３３】
１      越水防止装置
１０    枠体
１１    ガイド帯
１２    連結手段
１３    吊フック
１４    底シート
１５    縦フレーム
１８    横フレーム
１９    パネル材
２０    シート材
２１    連結手段
【図１】
2006283505.tif 000003
【図２】
2006283505.tif 000004
【図３】
2006283505.tif 000005
【図４】
2006283505.tif 000006
【図５】
2006283505.tif 000007
【図６】
2006283505.tif 000008
【図７】
2006283505.tif 000009
【図８】
2006283505.tif 000010
【図９】
2006283505.tif 000011
【図１０】
2006283505.tif 000012
【図１１】
2006283505.tif 000013
【図１２】
2006283505.tif 000014
【図１３】
2006283505.tif 000015